【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオシーケンスの符号化ピクチャを備えるコード化ビデオシーケンスを受信することと、
タイムスケールを提供する前記コード化ビデオシーケンスによって参照されるビデオパラメータセット（ＶＰＳ）シンタックス構造中の第１のシンタックス要素と、クロックティック中のユニットの数を提供する前記ＶＰＳシンタックス構造中の第２のシンタックス要素とを含む前記コード化ビデオシーケンスについてのタイミングパラメータを受信することと
を備え、前記ＶＰＳシンタックス構造中の前記第１および第２のシンタックス要素は、前記ＶＰＳシンタックス構造中に直接および多くとも一度含まれ、前記ＶＰＳシンタックス構造によって指定されるすべてのレイヤに適用可能であり、
前記コード化ビデオシーケンスについての前記タイミングパラメータは、前記タイムスケールを提供する前記コード化ビデオシーケンスによって参照されるシーケンスパラメータセット（ＳＰＳ）シンタックス構造のビデオユーザビリティ情報（ＶＵＩ）部中の第１のシンタックス要素と、クロックティック中の前記ユニットの数を提供する前記ＳＰＳシンタックス構造の前記ＶＵＩ部中の第２のシンタックス要素とを含み、前記ＳＰＳシンタックス構造の前記ＶＵＩ部中の前記第１および第２のシンタックス要素は、前記ＳＰＳシンタックス構造の前記ＶＵＩ部中に直接および多くとも一度含まれ、前記コード化ビデオシーケンス内にあり、ならびに前記ＳＰＳシンタックス構造を参照するすべてのレイヤに適用可能である、
方法。
【請求項２】
前記コード化ビデオシーケンスについての前記タイミングパラメータを受信することは、前記タイムスケールとクロックティック中の前記ユニットの数とを、前記ＶＰＳシンタックス構造中で受信することを備える、
請求項１に記載の方法。
【請求項３】
前記ＶＰＳシンタックス構造中の前記第１のシンタックス要素は、vps_time_scaleシンタックス要素を備え、前記ＶＰＳシンタックス構造中の前記第２のシンタックス要素はvps_num_units_in_tickシンタックス要素を備える、
請求項２に記載の方法。
【請求項４】
前記コード化ビデオシーケンスについての前記タイミングパラメータを受信することは、前記タイムスケールとクロックティック中の前記ユニットの数とを、前記ＳＰＳシンタックス構造の前記ＶＵＩ部中で受信することを備える、
請求項１に記載の方法。
【請求項５】
前記ＳＰＳシンタックス構造の前記ＶＵＩ部中の前記第１のシンタックス要素は、sps_time_scaleシンタックス要素を備え、前記ＳＰＳシンタックス構造の前記ＶＵＩ部中の前記第２のシンタックス要素は、sps_num_units_in_tickシンタックス要素を備える、
請求項４に記載の方法。
【請求項６】
前記ＶＰＳシンタックス構造中の前記第１および第２のシンタックス要素は、前記ＶＰＳシンタックス構造に組み込まれた、仮想参照復号器（ＨＲＤ）パラメータのシンタックス構造中でシグナリングされない、
請求項１に記載の方法。
【請求項７】
前記ＳＰＳシンタックス構造の前記ＶＵＩ部中の前記第１および第２のシンタックス要素は、前記ＳＰＳシンタックス構造の前記ＶＵＩ部に組み込まれた、仮想参照復号器（ＨＲＤ）パラメータのシンタックス構造中でシグナリングされない、
請求項１に記載の方法。
【請求項８】
前記コード化ビデオシーケンスを受信することは、前記符号化ピクチャの表現を形成するビットのシーケンスを備えるコード化ビットストリームを受信することを備え、前記方法は、
前記タイムスケールおよびクロックティック中の前記ユニットの数によって少なくとも部分的に定義される、コード化ピクチャバッファおよび復号ピクチャバッファのビデオバッファリングモデルへの、前記ビットストリームの準拠を検証することをさらに備える、
請求項１に記載の方法。
【請求項９】
前記タイミングパラメータは、仮想参照復号動作についてのタイミングパラメータを備える、
請求項１に記載の方法。
【請求項１０】
ビデオデータを符号化する方法であって、
符号化ピクチャを備えるコード化ビデオシーケンスを生成するように、ビデオシーケンスのピクチャを符号化することと、
タイムスケールを提供する前記コード化ビデオシーケンスによって参照されるビデオパラメータセット（ＶＰＳ）シンタックス構造中の第１のシンタックス要素と、クロックティック中のユニットの数を提供する前記ＶＰＳシンタックス構造中の第２のシンタックス要素とを少なくとも部分的にシグナリングすることによって、前記コード化ビデオシーケンスについてのタイミングパラメータをシグナリングすることと
を備え、前記ＶＰＳシンタックス構造中の前記第１および第２のシンタックス要素は、前記ＶＰＳシンタックス構造中に直接および多くとも一度含まれ、前記ＶＰＳシンタックス構造によって指定されるすべてのレイヤに適用可能であり、前記タイムスケールを提供する前記コード化ビデオシーケンスによって参照されるシーケンスパラメータセット（ＳＰＳ）シンタックス構造のビデオユーザビリティ情報（ＶＵＩ）部中の第１のシンタックス要素と、クロックティック中の前記ユニットの数を提供する前記ＳＰＳシンタックス構造の前記ＶＵＩ部中の第２のシンタックス要素とを少なくとも部分的にシグナリングすることによって、前記ＳＰＳシンタックス構造の前記ＶＵＩ部中の前記第１および第２のシンタックス要素は、前記ＳＰＳシンタックス構造の前記ＶＵＩ部中に直接および多くとも一度含まれ、前記コード化ビデオシーケンス内にあり、ならびに前記ＳＰＳシンタックス構造を参照するすべてのレイヤに適用可能である、
方法。
【請求項１１】
前記ＶＰＳシンタックス構造中の前記第１のシンタックス要素は、vps_time_scaleシンタックス要素を備え、前記ＶＰＳシンタックス構造中の前記第２のシンタックス要素は、vps_num_units_in_tickシンタックス要素を備える、
請求項１０に記載の方法。
【請求項１２】
前記ＳＰＳシンタックス構造の前記ＶＵＩ部中の前記第１のシンタックス要素は、sps_time_scaleシンタックス要素を備え、前記ＳＰＳシンタックス構造の前記ＶＵＩ部中の前記第２のシンタックス要素は、sps_num_units_in_tickシンタックス要素を備える、
請求項１０に記載の方法。
【請求項１３】
前記ＶＰＳシンタックス構造中の前記第１および第２のシンタックス要素は、前記ＶＰＳシンタックス構造に組み込まれた、仮想参照復号器（ＨＲＤ）パラメータのシンタックス構造中でシグナリングされない、
請求項１０に記載の方法。
【請求項１４】
前記ＳＰＳシンタックス構造の前記ＶＵＩ部中の前記第１および第２のシンタックス要素は、前記ＳＰＳシンタックス構造に組み込まれた、仮想参照復号器（ＨＲＤ）パラメータのシンタックス構造中でシグナリングされない、
請求項１０に記載の方法。
【請求項１５】
前記符号化ピクチャの表現を形成するビットのシーケンスを備えるコード化ビットストリームを生成することをさらに備え、
前記タイミングパラメータは、前記ビットストリームの準拠を検証するための、コード化ピクチャバッファおよび復号ピクチャバッファのビデオバッファリングモデルを少なくとも部分的に定義する、
請求項１０に記載の方法。
【請求項１６】
前記タイミングパラメータは、仮想参照復号動作についてのタイミングパラメータを備える、
請求項１０に記載の方法。
【請求項１７】
ビデオデータを処理するためのデバイスであって、
前記ビデオデータを記憶するように構成されたメモリと、
前記メモリと通信状態にあるプロセッサを備え、前記プロセッサは、
ビデオシーケンスの符号化ピクチャを備えるコード化ビデオシーケンスを受信することと、
タイムスケールを提供する前記コード化ビデオシーケンスによって参照されるビデオパラメータセット（ＶＰＳ）シンタックス構造中の第１のシンタックス要素と、クロックティック中のユニットの数を提供する前記ＶＰＳシンタックス構造中の第２のシンタックス要素とを含む前記コード化ビデオシーケンスについてのタイミングパラメータを受信することと、
を行うように構成され、前記ＶＰＳシンタックス構造中の前記第１および第２のシンタックス要素は、前記ＶＰＳシンタックス構造中に直接および多くとも一度含まれ、前記ＶＰＳシンタックス構造によって指定されるすべてのレイヤに適用可能であり、
前記コード化ビデオシーケンスについての前記タイミングパラメータは、前記タイムスケールを提供する前記コード化ビデオシーケンスによって参照されるシーケンスパラメータセット（ＳＰＳ）シンタックス構造のビデオユーザビリティ情報（ＶＵＩ）部中の第１のシンタックス要素と、クロックティック中の前記ユニットの数を提供する前記ＳＰＳシンタックス構造の前記ＶＵＩ部中の第２のシンタックス要素とを含み、前記ＳＰＳシンタックス構造の前記ＶＵＩ部中の前記第１および第２のシンタックス要素は、前記ＳＰＳシンタックス構造の前記ＶＵＩ部中に直接および多くとも一度含まれ、前記コード化ビデオシーケンス内にあり、ならびに前記ＳＰＳシンタックス構造を参照するすべてのレイヤに適用可能である、
デバイス。
【請求項１８】
前記コード化ビデオシーケンスについての前記タイミングパラメータを受信するために、前記プロセッサは、前記タイムスケールとクロックティック中の前記ユニットの数とを、前記ＶＰＳシンタックス構造中で受信することを行うようにさらに構成される、
請求項１７に記載のデバイス。
【請求項１９】
前記ＶＰＳシンタックス構造中の前記第１のシンタックス要素は、vps_time_scaleシンタックス要素を備え、前記ＶＰＳシンタックス構造中の前記第２のシンタックス要素は、vps_num_units_in_tickシンタックス要素を備える、
請求項１８に記載のデバイス。
【請求項２０】
前記コード化ビデオシーケンスについての前記タイミングパラメータを受信するために、前記プロセッサは、前記タイムスケールとクロックティック中の前記ユニットの数とを、前記ＳＰＳシンタックス構造の前記ＶＵＩ部中で受信することを行うようにさらに構成される、
請求項１７に記載のデバイス。
【請求項２１】
前記ＳＰＳシンタックス構造の前記ＶＵＩ部中の前記第１のシンタックス要素は、sps_time_scaleシンタックス要素を備え、前記ＳＰＳシンタックス構造の前記ＶＵＩ部中の前記第２のシンタックス要素は、sps_num_units_in_tickシンタックス要素を備える、
請求項２０に記載のデバイス。
【請求項２２】
前記ＶＰＳシンタックス構造中の前記第１および第２のシンタックス要素は、前記ＶＰＳシンタックス構造に組み込まれた、仮想参照復号器（ＨＲＤ）パラメータのシンタックス構造中でシグナリングされない、
請求項１７に記載のデバイス。
【請求項２３】
前記ＳＰＳシンタックス構造の前記ＶＵＩ部中の前記第１および第２のシンタックス要素は、前記ＳＰＳシンタックス構造の前記ＶＵＩ部に組み込まれた、仮想参照復号器（ＨＲＤ）パラメータのシンタックス構造中でシグナリングされない、
請求項１７に記載のデバイス。
【請求項２４】
前記コード化ビデオシーケンスを受信するために、前記プロセッサは、前記符号化ピクチャの表現を形成するビットのシーケンスを備えるコード化ビットストリームを受信することを行うようにさらに構成され、
前記プロセッサは、前記タイムスケールおよびクロックティック中の前記ユニットの数によって少なくとも部分的に定義される、コード化ピクチャバッファおよび復号ピクチャバッファのビデオバッファリングモデルへの、前記ビットストリームの準拠を検証することを行うようにさらに構成される、
請求項１７に記載のデバイス。
【請求項２５】
前記タイミングパラメータは、仮想参照復号動作についてのタイミングパラメータを備える、
請求項１７に記載のデバイス。
【請求項２６】
ビデオデータを符号化するためのデバイスであって、
前記ビデオデータを記憶するように構成されたメモリと、
前記メモリと通信状態にあるプロセッサを備え、前記プロセッサは、
符号化ピクチャを備えるコード化ビデオシーケンスを生成するように、ビデオシーケンスのピクチャを符号化することと、
タイムスケールを提供する前記コード化ビデオシーケンスによって参照されるビデオパラメータセット（ＶＰＳ）シンタックス構造中の第１のシンタックス要素と、クロックティック中のユニットの数を提供する前記ＶＰＳシンタックス構造中の第２のシンタックス要素とを少なくとも部分的にシグナリングすることによって、前記コード化ビデオシーケンスについてのタイミングパラメータをシグナリングすることと
を行うように構成され、前記ＶＰＳシンタックス構造中の前記第１および第２のシンタックス要素は、前記ＶＰＳシンタックス構造中に直接および多くとも一度含まれ、前記ＶＰＳシンタックス構造によって指定されるすべてのレイヤに適用可能であり、前記タイムスケールを提供する前記コード化ビデオシーケンスによって参照されるシーケンスパラメータセット（ＳＰＳ）シンタックス構造のビデオユーザビリティ情報（ＶＵＩ）部中の第１のシンタックス要素と、クロックティック中の前記ユニットの数を提供する前記ＳＰＳシンタックス構造の前記ＶＵＩ部中の第２のシンタックス要素とを少なくとも部分的にシグナリングすることによって、前記ＳＰＳシンタックス構造の前記ＶＵＩ部中の前記第１および第２のシンタックス要素は、前記ＳＰＳシンタックス構造の前記ＶＵＩ部中に直接および多くとも一度含まれ、前記コード化ビデオシーケンス内にあり、ならびに前記ＳＰＳシンタックス構造を参照するすべてのレイヤに適用可能である、
デバイス。
【請求項２７】
前記ＶＰＳシンタックス構造中の前記第１のシンタックス要素は、vps_time_scaleシンタックス要素を備え、前記ＶＰＳシンタックス構造中の前記第２のシンタックス要素は、vps_num_units_in_tickシンタックス要素を備える、
請求項２６に記載のデバイス。
【請求項２８】
前記ＳＰＳシンタックス構造の前記ＶＵＩ部中の前記第１のシンタックス要素は、sps_time_scaleシンタックス要素を備え、前記ＳＰＳシンタックス構造の前記ＶＵＩ部中の前記第２のシンタックス要素は、sps_num_units_in_tickシンタックス要素を備える、
請求項２６に記載のデバイス。
【請求項２９】
前記ＶＰＳシンタックス構造中の前記第１および第２のシンタックス要素は、前記ＶＰＳシンタックス構造に組み込まれた、仮想参照復号器（ＨＲＤ）パラメータのシンタックス構造中でシグナリングされない、
請求項２６に記載のデバイス。
【請求項３０】
前記ＳＰＳシンタックス構造の前記ＶＵＩ部中の前記第１および第２のシンタックス要素は、前記ＳＰＳシンタックス構造に組み込まれた、仮想参照復号器（ＨＲＤ）パラメータのシンタックス構造中でシグナリングされない、
請求項２６に記載のデバイス。
【請求項３１】
前記プロセッサは、前記符号化ピクチャの表現を形成するビットのシーケンスを備えるコード化ビットストリームを生成することを行うようにさらに構成され、
前記タイミングパラメータは、前記ビットストリームの準拠を検証するための、コード化ピクチャバッファおよび復号ピクチャバッファのビデオバッファリングモデルを少なくとも部分的に定義する、
請求項２６に記載のデバイス。
【請求項３２】
前記タイミングパラメータは、仮想参照復号動作についてのタイミングパラメータを備える、
請求項２６に記載のデバイス。
【請求項３３】
ビデオデータを処理するためのデバイスであって、
ビデオシーケンスの符号化ピクチャを備えるコード化ビデオシーケンスを受信するための手段と、
タイムスケールを提供する前記コード化ビデオシーケンスによって参照されるビデオパラメータセット（ＶＰＳ）シンタックス構造中の第１のシンタックス要素と、クロックティック中のユニットの数を提供する前記ＶＰＳシンタックス構造中の第２のシンタックス要素とを含む前記コード化ビデオシーケンスについてのタイミングパラメータを受信するための手段と
を備え、前記ＶＰＳシンタックス構造中の前記第１および第２のシンタックス要素は、前記ＶＰＳシンタックス構造中に直接および多くとも一度含まれ、前記ＶＰＳシンタックス構造によって指定されるすべてのレイヤに適用可能であり、
前記コード化ビデオシーケンスについての前記タイミングパラメータは、前記タイムスケールを提供する前記コード化ビデオシーケンスによって参照されるシーケンスパラメータセット（ＳＰＳ）シンタックス構造のビデオユーザビリティ情報（ＶＵＩ）部中の第１のシンタックス要素と、クロックティック中の前記ユニットの数を提供する前記ＳＰＳシンタックス構造の前記ＶＵＩ部中の第２のシンタックス要素とを含み、前記ＳＰＳシンタックス構造の前記ＶＵＩ部中の前記第１および第２のシンタックス要素は、前記ＳＰＳシンタックス構造の前記ＶＵＩ部中に直接および多くとも一度含まれ、前記コード化ビデオシーケンス内にあり、ならびに前記ＳＰＳシンタックス構造を参照するすべてのレイヤに適用可能である、
デバイス。
【請求項３４】
前記コード化ビデオシーケンスについての前記タイミングパラメータを受信するための前記手段は、前記タイムスケールとクロックティック中の前記ユニットの数とを、前記ＶＰＳシンタックス構造中で受信するための手段を備える、
請求項３３に記載のデバイス。
【請求項３５】
前記ＶＰＳシンタックス構造中の前記第１のシンタックス要素は、vps_time_scaleシンタックス要素を備え、前記ＶＰＳシンタックス構造中の前記第２のシンタックス要素は、vps_num_units_in_tickシンタックス要素を備える、
請求項３４に記載のデバイス。
【請求項３６】
前記コード化ビデオシーケンスについての前記タイミングパラメータを受信するための前記手段は、前記タイムスケールとクロックティック中の前記ユニットの数とを、前記ＳＰＳシンタックス構造の前記ＶＵＩ部中で受信するための手段を備える、
請求項３３に記載のデバイス。
【請求項３７】
前記ＳＰＳシンタックス構造の前記ＶＵＩ部中の前記第１のシンタックス要素は、sps_time_scaleシンタックス要素を備え、前記ＳＰＳシンタックス構造の前記ＶＵＩ部中の前記第２のシンタックス要素は、sps_num_units_in_tickシンタックス要素を備える、
請求項３６に記載のデバイス。
【請求項３８】
１つまたは複数のプロセッサによる実行時に、前記１つまたは複数のプロセッサに、
ビデオシーケンスの符号化ピクチャを備えるコード化ビデオシーケンスを受信することと、
タイムスケールを提供する前記コード化ビデオシーケンスによって参照されるビデオパラメータセット（ＶＰＳ）シンタックス構造中の第１のシンタックス要素と、クロックティック中のユニットの数を提供する前記ＶＰＳシンタックス構造中の第２のシンタックス要素とを含む前記コード化ビデオシーケンスについてのタイミングパラメータを受信することと
を行わせる、ビデオデータを処理するための命令を記憶し、前記ＶＰＳシンタックス構造中の前記第１および第２のシンタックス要素は、前記ＶＰＳシンタックス構造中に直接および多くとも一度含まれ、前記ＶＰＳシンタックス構造によって指定されるすべてのレイヤに適用可能であり、
前記コード化ビデオシーケンスについての前記タイミングパラメータは、前記タイムスケールを提供する前記コード化ビデオシーケンスによって参照されるシーケンスパラメータセット（ＳＰＳ）シンタックス構造のビデオユーザビリティ情報（ＶＵＩ）部中の第１のシンタックス要素と、クロックティック中の前記ユニットの数を提供する前記ＳＰＳシンタックス構造の前記ＶＵＩ部中の第２のシンタックス要素とを含み、前記ＳＰＳシンタックス構造の前記ＶＵＩ部中の前記第１および第２のシンタックス要素は、前記ＳＰＳシンタックス構造の前記ＶＵＩ部中に直接および多くとも一度含まれ、前記コード化ビデオシーケンス内にあり、ならびに前記ＳＰＳシンタックス構造を参照するすべてのレイヤに適用可能である、
非一時的コンピュータ可読記憶媒体。
【請求項３９】
前記コード化ビデオシーケンスについての前記タイミングパラメータを受信するために、前記命令はさらに、前記１つまたは複数のプロセッサに、前記タイムスケールとクロックティック中の前記ユニットの数とを、前記ＶＰＳシンタックス構造中で受信することを行わせる、
請求項３８に記載の非一時的可読記憶媒体。
【請求項４０】
前記ＶＰＳシンタックス構造中の前記第１のシンタックス要素は、vps_time_scaleシンタックス要素を備え、前記ＶＰＳシンタックス構造中の前記第２のシンタックス要素は、vps_num_units_in_tickシンタックス要素を備える、
請求項３９に記載の非一時的可読記憶媒体。
【請求項４１】
前記コード化ビデオシーケンスについての前記タイミングパラメータを受信するために、前記命令はさらに、前記１つまたは複数のプロセッサに、前記タイムスケールとクロックティック中の前記ユニットの数とを、前記ＳＰＳシンタックス構造の前記ＶＵＩ部中で受信することを行わせる、
請求項３８に記載の非一時的可読記憶媒体。
【請求項４２】
前記ＳＰＳシンタックス構造の前記ＶＵＩ部中の前記第１のシンタックス要素は、sps_time_scaleシンタックス要素を備え、前記ＳＰＳシンタックス構造の前記ＶＵＩ部中の前記第２のシンタックス要素は、sps_num_units_in_tickシンタックス要素を備える、
請求項４１に記載の非一時的可読記憶媒体。
【請求項４３】
前記ＶＰＳシンタックス構造は複数のレイヤを指定する、
請求項１に記載の方法。
【請求項４４】
前記ＶＰＳシンタックス構造は複数のレイヤを指定する、
請求項１０に記載の方法。
【請求項４５】
前記ＶＰＳシンタックス構造は複数のレイヤを指定する、
請求項１７に記載のデバイス。
【請求項４６】
前記ＶＰＳシンタックス構造は複数のレイヤを指定する、
請求項２６に記載のデバイス。
【請求項４７】
前記ＶＰＳシンタックス構造は複数のレイヤを指定する、
請求項３３に記載のデバイス。
【請求項４８】
前記ＶＰＳシンタックス構造は複数のレイヤを指定する、
請求項３８に記載の非一時的可読記憶媒体。
【手続補正２】
【補正対象書類名】明細書
【補正対象項目名】０００４
【補正方法】変更
【補正の内容】
【０００４】
[0004]ビデオ圧縮技法は、ビデオシーケンスに固有の冗長性を低減または除去するために空間的（イントラピクチャ）予測および／または時間的（インターピクチャ）予測を実施する。ブロックベースのビデオコーディングでは、ビデオスライス（すなわち、ビデオフレームまたはビデオフレームの一部分）がビデオブロックに区分されてよく、これらのビデオブロックは、ツリーブロック、コーディングユニット（ＣＵ）および／またはコーディングノードと呼ばれることもある。ピクチャのイントラコード化（Ｉ）スライス内のビデオブロックは、同じピクチャの中の隣接ブロック内の参照サンプルに対する空間的予測を使用して符号化される。ピクチャのインターコード化（ＰまたはＢ）スライス内のビ
デオブロックは、同じピクチャの中の隣接ブロック内の参照サンプルに対する空間的予測、または他の参照ピクチャの中の参照サンプルに対する時間的予測を使用することができる。ピクチャはフレームと呼ばれることがあり、参照ピクチャは参照フレームと呼ばれることがある。
【手続補正３】
【補正対象書類名】明細書
【補正対象項目名】００４２
【補正方法】変更
【補正の内容】
【００４２】
[0051]さらに、ピクチャ順序カウント（ＰＯＣ）値は通常、ＰＯＣ値がスケーラブルビデオビットストリームのレイヤのうちのいずれかについての出力時間に比例する場合、スケーラブルビデオビットストリームのすべてのレイヤについての出力時間に比例する。ただし、ＨＥＶＣ  ＷＤ９仕様は、スケーラブルビデオビットストリーム中で、ＰＯＣ値がスケーラブルビデオビットストリームのすべてのレイヤまたはすべての可能なビットストリームサブセットについての出力時間に比例するというインジケーションをシグナリングすることを規定していない。スケーラブルビデオビットストリームの「レイヤ」への言及は、たとえば、スケーラブルレイヤ、テクスチャビュー、および／または深度ビューを指し得る。さらに、ＨＥＶＣ  ＷＤ９は、フラグpoc_proportional_to_timing_flagが、ＳＰＳのＶＵＩシンタックス構造中で常にシグナリングされることを指定するが、フラグpoc_proportional_to_timing_flagは、シンタックス要素time_scaleおよびnum_units_in_tickもビットストリーム中でシグナリングされない場合、有用性をもたない。